(57)【要約】 【課題】  地震発生時、例えばスーパー等の陳列棚にある商品の落下阻止を図るための新規な商品落下防止具の提供を図る。【解決手段】  棚板等上に載置するための矩形枠状を呈し、かつ、棚板等上に載置した際に、奥方向に向かって下るようなテーパ面を具えた商品落下防止具であって、少なくともその裏面側には、閉じられた線状模様を形成することに依り、これを棚板等平坦面に対して上方から押付けた際に、吸盤的作用が働きその吸着固定が図られるように構成したゴムまたは軟質合成樹脂材で製した商品落下防止具。【選択図】  図４
2014100171.tif 000002
【特許請求の範囲】
【請求項１】
棚板等上に載置するための矩形枠状を呈し、かつ、棚板等上に載置した際に奥方向に向かって下るようなテーパ面を具えた商品落下防止具であって、少なくともその基板の裏面側には、閉じられた線状模様単体から成る適宜の模様を形成することに依り、これを棚板等平坦面に対して上方から押付けた際に、吸盤的作用が働きその吸着固定が図られるように構成したゴムまたは軟質合成樹脂材で製した商品落下防止具。
【請求項２】
棚板等上に載置するための矩形枠状を呈し、かつ、棚板等上に載置した際に奥方向に向かって下るようなテーパ面を具えた商品落下防止具であって、その基板の表裏両面に、閉じられた線状模様単体から成る適宜の模様を形成し、当該表裏いずれの面も、裏側に位置させて棚板等平坦面に対して上方から押付けることに依り、吸盤的作用が働きその吸着固定が図られるように構成したゴムまたは軟質合成樹脂材で製した商品落下防止具。    
【請求項３】
一方の面を大柄な格子状模様とし、他方の面を小柄な格子状模様として成る請求項２に記載の商品落下防止具。
【発明の詳細な説明】
【技術分野】
【０００１】
本発明は地震発生時、例えばスーパー等の陳列棚にある商品の落下阻止を図るための商品落下防止具に関する。
【背景技術】
【０００２】
従来の商品落下防止具は、棚の先端部分に商品の落下を阻止するための部材を開閉自在に取り付けるように構成したものであった（例えば、特許文献１及び特許文献２参照。）。
【０００３】
上述したような従来の手段であると、棚に対する商品の出し入れの度、その落下防止用部材の開閉操作を行わなければならないため、商品管理上の煩雑性が生じた。  更に、既存の棚に対する実施に際しては、相応の改良を要するため、費用的負担性も著しいものがあった。  
【０００４】
このような問題を解決するための手段として、本願と同一発明者及び出願人により、既存の棚に対して単に載置するだけで、商品落下防止効果が奏されるようにした商品落下防止具という製品の提供がなされた（特許文献３参照）。
【０００５】
これは図６に示すように、矩形状基板Aの上面に全長に亘って、互いに所定間隔を保って平行するように簀子状枠板B…を列設し、当該簀子状枠板B…の各上縁は、棚板Cの先端側から奥方向側に下るテーパ面とするように形成したものである。
【先行技術文献】
【特許文献】
【０００６】
【特許文献１】特開２０１０−１８７８５０号公報
【特許文献２】特開２０１０−１９４１５７号公報
【特許文献３】特願２０１２−１２８３６３号公報
【発明の概要】
【発明が解決しようとする課題】
【０００７】
上述したような図６に示す従来例の場合、単に棚板上に載置しているだけのものであるため、強い地震が発生した場合、矩形状基板Aは棚板C上に単に載置してあるだけであるため、商品を陳列している当該基板A自体か棚板Cから滑り落ちてしまうこととなる。
【０００８】
本発明はこのような従来の問題を解決し、既存の棚に対する載置が仮止め的固定目的が達成され、強い地震発生時においても強力なる安定性が保持されると共に、その使用性の向上化を図った改良型の商品落下防止具の提供を提供するものである。
【課題を解決するための手段】
【０００９】
本発明は請求項１に記載のように、  棚板等上に載置するための矩形枠状を呈し、かつ、棚板等上に載置した際に奥方向に向かって下るようなテーパ面を具えた商品落下防止具であって、少なくともその基板の裏面側には、閉じられた線状模様単体から成る適宜の模様を形成することに依り、これを棚板等平坦面に対して上方から押付けた際に、吸盤的作用が働きその吸着固定が図られるように構成したゴムまたは軟質合成樹脂材で製した商品落下防止具に係る。
【００１０】
本発明は請求項２に記載のように、棚板等上に載置するための矩形枠状を呈し、かつ、棚板等上に載置した際に奥方向に向かって下るようなテーパ面を具えた商品落下防止具であって、その基板の表裏両面に、閉じられた線状模様単体から成る適宜の模様を形成し、当該表裏いずれの面も、裏側に位置させて棚板等平坦面に対して上方から押付けることに依り、吸盤的作用が働きその吸着固定が図られるように構成したゴムまたは軟質合成樹脂材で製した商品落下防止具に係る。    
【００１１】
本発明は請求項３に記載のように、一方の面を大柄な格子状模様とし、他方の面を小柄な格子状模様として成る請求項２に記載の商品落下防止具を実施の態様とする。
【発明の効果】
【００１２】
本発明は請求項１に記載のような構成、すなわち、棚板等上に載置するための矩形枠状を呈し、かつ、棚板等上に載置した際に奥方向に向かって下るようなテーパ面を具えた商品落下防止具であって、少なくともその基板の裏面側には、閉じられた線状模様単体から成る適宜の模様を形成することに依り、これを棚板等平坦面に対して上方から押付けた際に、吸盤的作用が働きその吸着固定が図られるように構成したから、本発明品の表面に並べた商品は、棚の奥方向に傾斜させられているため、地震の発生に基づき揺れ動いても、奥方向に倒れるだけで済み、棚の前方から落下して破損させてしまったり、フロアー上を汚してしまったりするような事態発生を未然に防止する。
【００１３】
そして、本発明品自体も棚板上に吸着固定されているため、これがずれ動いて商品と共に落下してしまうような事態発生を阻止することとなる。  また、本発明品は単に棚状にセットするだけで事足りるものであるから、既存の陳列棚等を直ちに耐震機能を具えた陳列棚とすることが出来る。  従って、本発明の実施は極めて簡単かつ廉価に果たされると同時に、家庭用の食器棚等に対する実施にも適したものとされる。
【００１４】
本発明は請求項２に記載のような構成、すなわち、基板の表裏両面に、閉じられた線状模様単体から成る適宜の模様を形成し、当該表裏いずれの面も、裏側に位置させて棚板等平坦面に対して上方から押付けることに依り、吸盤的作用が働きその吸着固定が図られるように構成したから、請求項１の場合と同様な効果が奏されると同時に、リバーシブル的な利用が図られると共に、表側に位置させた面の線状模様が載置商品に対する滑り止め的な作用を奏することとなる。
【００１５】
本発明は請求項３に記載のような構成、すなわち、一方の面を大柄な格子状模様とし、他方の面を小柄な格子状模様とすることに依り、大きめの商品の場合は大柄な格子状模様の上に展示し、小さめの商品の場合は小柄な格子状模様の上に展示すると言うような使い分けを瞬時に図ることができる。
【図面の簡単な説明】
【００１６】
【図１】本発明の裏面図である。
【図２】本発明の表面図である。
【図３】本発明の側面図である。
【図４】図２におけるX―X線断面図である。
【図５】本発明の他の実施例を表した底面図である。
【図６】棚板上に載置した状態にある従来品を表した断面図である。
【発明を実施するための形態】
【００１７】
本発明は、棚板上に載置するための矩形枠状を呈し、その上面は棚板の先端側から奥方向側に下るテーパ面とするように構成した願２０１２−１２８３６３号の「商品落下防止具」の改良に関する。
【００１８】
図１乃至図４は本発明の実施例を表したものである。  図面において、１は矩形状基板であって、所要の棚板上等に載置するためのものである。  当該基盤１は先端から奥方向(図３及び図４参照)に下る緩やかなテーパ面とするように形成してある。  なお、図３及び図４に示すように、当該テーパ面は基板１の表面側と裏面側に対称的に形成してある。  これは基板１を裏返すことに依り表裏両面の使用ができるようにしたものであるが、載置時に上面側がテーパ面となれば良いわけであるため、表裏何れか一面をテーパ面とするように形成しても、実質的に同一作用を呈するものである。 換言すれば、本発明はその全体が、棚板上等に載置した際に、奥方向に向かって下るようなテーパ面を具えたものとすることを骨子的構成とする。
【００１９】
２は当該矩形状基板１の下面に凸状線で形成した裏面側吸着用模様面であって、各模様単体2aが閉じられた線状模様とすることに依り、これを棚板等平坦面に対して上方から押付けた際に、吸盤的作用が働きその吸着固定が図られるように構成したものである。  なお、図１に示す実施例にあっては当該裏面側吸着用模様面２として細かな格子状模様とすることに依り、その各模様単体2a…が夫々独立した吸着作用が奏されるように構成してある。
【００２０】
３は当該矩形状基板１の上面に凸状線で形成した表面側吸着用模様面であって、各模様単体3aが閉じられた線状模様とすることに依り、基盤１を裏返した状態でこれを棚板等平坦面に対して上方から押付けた際に、吸盤的作用が働きその吸着固定が図られるように構成したものである。  なお、図２に示す実施例にあっては当該表面側吸着用模様面２として大まかな格子状模様とすることに依り、その各模様単体3a…が夫々独立した吸着作用が奏されるように構成してある。
【００２１】
図１及び図２に示すように表裏の吸着用模様面を異なった模様としたのは、リバーシブル的利用を図るためであり、これは格子状模様に限定されるものではなく、例えば図５に示すような円形模様、その他適宜な模様であって可とする。  但し、吸盤的作用を奏させることが主たる目的であるため、閉じられた線状模様とすることが絶対的条件とされる。
【００２２】
換言すると、裏面側を吸着用面とし機能させている際は、その表面側は商品載置用面として機能することとなるわけである。
【００２３】
なお、本発明における裏面側吸着用模様面２と表面側吸着用模様面３とは、裏面側に位置させた場合は吸盤的利用が図られ、表面側に位置させた場合は棚番の飾り面としての役割と、商品の安定的載置用としての役割が果たされるものであり、従って、これらの要素を具えたものであれば、如何なる模様であっても可とする。
【００２４】
ところで、裏面側吸着用模様面２と表面側吸着用模様面３とは、通常は矩形状基板１と一体に成形するものである。  そして、その材質であるが、吸盤的作用を奏させる必要性から、ウレタンのような柔軟性に富みかつ気密性を有する材料、すなわち、ゴム材または軟質合成樹脂材で形成することが絶対的要件とされる。
なお、本発明は、裏面側だけを吸着面とし表面側を商品載置面とするように、夫々目的を定めてリバーシブル的利用を期待しない形態で実施することもある。  この場合は、裏面側だけを吸盤的作用を奏させる材料を用いればよい。
【００２５】
本発明は図６に示すような従来品と同様に、棚板C上に載置して使用に供するものである。  そして、同図の上段棚にあるように、必要に応じた長さに裁断しての使用を図ることもできる。   また、上記使用状態において、基板１は棚板上に押し付けることに依り吸着されるため、地震の揺れに基づき棚板上からズレ動いてその全体が落下してしまうようなことがない。  また、表面の模様の存在に基づき滑り止め効果が生じ、商品のズレ動きが阻止される。
【符号の説明】
【００２６】
１    矩形状基板
２    裏面側吸着用模様面
2a    模様単体
３    表面側吸着用模様面
3a    模様単体
【図５】
2014100171.tif 000003
【図６】
2014100171.tif 000004
【図１】
2014100171.tif 000005
【図２】
2014100171.tif 000006
【図３】
2014100171.tif 000007
【図４】
2014100171.tif 000008